(57)【要約】【課題】簡易な構造で作業性の良い防虫ガード、防虫ガード及びリース型ハンギングポットを提供すること。【解決手段】防虫ガード１００は、粘着面１０を表面に形成したシート１１の反対側の面にスポンジ（弾性部材）１２を接着した構造である。シート１１及びスポンジ１２の端部の両側に略平行に互い違いに切り込み１３ａ，１３ｂ，１３ｃ，１３ｄ及び切り込み１３ｅ，１３ｆ，１３ｇが形成されている。シート１１及びスポンジ１２が図中左右方向に伸びるとき、切り込み１３ａ，１３ｂ，１３ｃ，１３ｄ及び切り込み１３ｅ，１３ｆ，１３ｇの隙間が広がり、シート１１及びスポンジ１２が連続する略Ｎ字型に広がるようになっている。【選択図】図１
2013192503.tif 000002
【特許請求の範囲】
【請求項１】
茎の周面に接するように巻き付けられる弾性部材と、当該弾性部材を一の面の一部又は全部に取り付けられると共に他の面に形成された粘着面を有するシートとを備えたことを特徴とする防虫ガード。
【請求項２】
前記弾性部材及び前記シートの端部の両側に略茎の延びる方向に沿って互い違いに形成される切り込みを有することを特徴とする請求項１に記載の防虫ガード。
【請求項３】
粘着面を形成した表面及び茎の周面に接する裏面を有し、茎にストロー状に巻き付けられたときにＮ字状に広がるように切り込みを形成されたシートによって構成されることを特徴とする請求項２に記載の防虫ガード。
【請求項４】
粘着面を形成した表面及び茎の周面に接する裏面を有し、茎にストロー状に巻き付けられたときに斜めに切り込みが入るように形成されたシートによって構成されることを特徴とする防虫ガード。
【請求項５】
前記シートを湾曲状態に保持する締結具を備えることを特徴とする請求項１〜４のいずれかに記載の防虫ガード。
【請求項６】
前記締結具を、前記シート及び前記弾性部材の間に取り付けられた針金としたことを特徴とする請求項５に記載の防虫ガード。
【請求項７】
前記締結具を、前記弾性部材の表面に取り付けられた両面テープとしたことを特徴とする請求項５に記載の防虫ガード。
【請求項８】
前記シートを輪状に形状記憶させたことを特徴とする請求項１〜４のいずれかに記載の防虫ガード。
【請求項９】
湾曲自在なシートと、前記シート一部又は全部に帯状に形成された粘着部材とを備え、植物の茎を囲むように地面に輪状に設置されることを特徴とする防虫ガード。
【請求項１０】
害虫やナメクジの大きさよりも小さい穴を前記湾曲自在なシートに複数形成したことを特徴とする請求項９に記載の防虫ガード。
【請求項１１】
土中からの害虫よりも小さい穴が形成されたネット内袋を、輪状に形成した前記シートの内側に挿入し、当該ネット内袋の開口縁を前記シートの上縁に沿って取り付けてなることを特徴とする請求項９又は請求項１０に記載の防虫ガード。
【請求項１２】
土中からの害虫よりも小さい排出孔が形成された根際カバーを、輪状に形成した前記シートの内側の地面表面上に敷き詰めてなることを特徴とする請求項９〜１１のいずれかに記載の防虫ガード。
【請求項１３】
ドーナツ状に空間を形成した空洞部と、当該空洞部を断面略Ｃ字型に輪帯状に開口する開口部と、当該開口部に連なって前記空洞部を略Ｔ字型に切り欠かれて苗を差し入れ自在な差入部とを筐体に形成したことを特徴するリース型ハンギングポット。
【請求項１４】
前記筐体の下側に位置するところに穴を形成することを特徴とする請求項１３に記載のリース型ハンギングポット。
【発明の詳細な説明】
【技術分野】
【０００１】
この発明は、地面から這って来る根きり虫、ヨトウ虫、青虫、アブラムシ等の害虫やナメクジの茎や葉や花への侵入を防止するのに好適な防虫ガード及びリース型ハンギングポットに関する。
【背景技術】
【０００２】
従来の防虫ガードとしては、特許文献１に記載のようなものが知られている。この特許文献１に記載の「むしなかせ」と呼ばれる防虫ガードは、カバーを茎に巻き付けるようにして取り付けて、地面から茎を伝って花に侵入する害虫やナメクジを食い止める。
【０００３】
また、従来の防虫ガードとしては、特許文献２に記載のようなものも知られている。この特許文献２に記載の「苗保護カバー」と呼ばれる防虫ガードは、一枚のシートを筒状に丸めて一方の縁に形成された舌片を他方の縁の切れ目に嵌め入れて組み立てられた円錐台状の筒で苗を覆うように用いられ、外部から筒の内部に害虫やナメクジが入り込むのを防ぐようにしている。
【０００４】
ところで、従来、壁掛けや足をつけて地面から離した位置に植物の苗を取り付けて、植物を目線に近づけて花を観賞させるリース型ハンギングポットが知られている。この従来のリース型ハンギングポットとしては、特許文献３に記載のようなものが知られている。この特許文献３には、「壁掛け型植物リース生育器具」と呼ぶリース型ハンギングポットは、ドーナツリング状の収容体に、複数の植物収容ボックスを嵌めて収容したものである。
【０００５】
また、従来のリース型ハンギングポットの中には、断面半円状のドーナツリングの籠や箱に、複数の植物の苗を植え付けるものも知られている。なお、いずれのリース型ハンギングポットも地面から離れた位置に植物の苗を保持するため、地面から這ってくる害虫やナメクジが植物にとりつくのを防げるようになっている。
【先行技術文献】
【特許文献】
【０００６】
【特許文献１】実開平２−１０７９５４号公報
【特許文献２】実用新案登録第３０３１５２３号公報
【特許文献３】特開２０００−３２５１９９号公報
【発明の概要】
【発明が解決しようとする課題】
【０００７】
しかしながら、上記特許文献１に記載の防虫ガードは、クッション材と複数の部品からなるカバー本体とが別々なっているため、クッション材を茎に巻き付けた後、クッション材を押さえながらカバーを組み立てた上で茎にカバーを取り付けなければならず、取り付け作業が繁雑で作業者に面倒を掛けてしまうという問題点がある。
【０００８】
また、上記特許文献２に記載の防虫ガードは、舌片と切れ目とがシートの定まった位置に形成されているため、シートを丸めたときに形成される筒の径が決まったものとなり、覆いたい苗の大きさや苗同士の間隔に応じて筒径を変えることができず、使い勝手が悪いという問題点がある。
【０００９】
また、上記特許文献３に記載のリース型ハンギングポットは、複数の収容ボックスを嵌める構造及び断面半円状のドーナツリングの籠や箱の構造のいずれであっても、土の表面の露出が多く、土が落ちやすいという問題点がある。そのため、従来は、土の表面に水苔で覆って土が落ちないようにしていた。しかし、この場合、水苔で覆う手間が掛かるという問題点がある。
【００１０】
そこで、この発明の目的は、防虫効果が高く、簡易な構造で作業性の良い防虫ガード及びリース型ハンギングポットを提供することを目的とする。
【課題を解決するための手段】
【００１１】
そこで、この発明の防虫ガードは、茎の周面に接するように巻き付けられる弾性部材と、当該弾性部材を一の面の一部又は全部に取り付けられると共に他の面に形成された粘着面を有するシートとを備えたことを特徴とする。
この発明では、弾性部材の面を茎の周面に接地させて巻き付け、粘着面によってシートを接着させることによって茎に取り付けられるため、簡易な構造で作業性の良い防虫ガードを提供できる。また、この防虫ガードは、茎が生育に伴って太くなっても弾性部材が圧縮変化して、茎から外れてしまうのを防ぐことができる。また、この防虫ガードは、粘着面が害虫やナメクジを捕獲したりそれらの進入を阻んだりするため、植物の葉や花を害虫やナメクジの食害から守ることができる。なお、弾性部材はシート自体によって形成されていてもよい。
【００１２】
特に、この発明の防虫ガードでは、前記弾性部材及び前記シートの端部の両側に略茎の延びる方向に沿って互い違いに形成される切り込みを有することが好ましい。
この構成によると、シートを茎に巻き付けるだけの構造なので簡易な構造で作業性の良い防虫ガードを提供できる。特に、この構成によると、弾性部材及びシートの互い違いの切り込みで略Ｎ字状に広がるため、弾性部材の圧縮変化と共に、茎の生育に伴う茎径の変化に追従して内径を変えることができる。
【００１３】
また、この発明の防虫ガードは、粘着面を形成した表面及び茎の周面に接する裏面を有し、茎にストロー状に巻き付けられたときにＮ字状に広がるように切り込みを形成されたシートによって構成されることを特徴とする。
この発明では、シートを茎に巻き付けるだけの構造なので簡易な構造で作業性の良い防虫ガードを提供できる。特に、この構成によると、シートの切り込みがＮ字状に広がるため、茎の生育に伴う茎径の変化に追従することができる。
【００１４】
また、この発明の防虫ガードは、粘着面を形成した表面及び茎の周面に接する裏面を有し、茎にストロー状に巻き付けられたときに斜めに切り込みが入るように形成されたシートによって構成されることを特徴とする。
この発明では、シートを茎に巻き付けるだけの構造なので簡易な構造で作業性の良い防虫ガードを提供できる。特に、この構成によると、シートの切り込みが螺旋状に広がるため、茎の生育に伴う茎径の変化に追従することができる。
【００１５】
また、前記シートを湾曲状態に保持する締結具を備えるようにしてもよい。
この構成によると、確実に茎に防虫ガードを保持させることができる。
【００１６】
また、前記締結具を、前記シート及び前記弾性部材の間に取り付けられた針金とするのが好ましい。
この構成によると、針金を捻って締結できるため、茎への取り付け作業を容易に行うことができる。
【００１７】
また、前記締結具を、前記弾性部材の表面に取り付けられた両面テープとしてもよい。
この構成によると、両面テープで貼付するだけなので、茎への取り付け作業を容易に行うことができる。
【００１８】
また、前記シートを輪状に形状記憶させておくのが好ましい。
この構成によると、締結具がなくても、容易に茎へ防虫ガードを取り付けることができる。
【００１９】
この発明の防虫ガードは、湾曲自在なシートと、前記シート一部又は全部に帯状に形成された粘着部材とを備え、植物の茎を囲むように地面に輪状に設置されることを特徴とする。
この発明では、粘着部材が外側になるようにシートを屈曲させて粘着部材でシートを接着させることによって、防虫ガードが輪状に組み立てられる。そのため、複数並べて植えられる苗同士の間隔や苗の大きさに応じて形作られる径の大きさを任意に決めることができる。そして、輪状の防虫ガードは、苗を中心にして囲むように、かつ、害虫やナメクジの侵入を阻止したり捕獲したりする粘着部材の全てが地面中に埋まらないようにして使用される。そのため、害虫等は粘着部材により捕獲され、また、地面中に埋めたシート部分により地中の虫が地中から侵入するのを防止でき、更に、簡易な構造で作業性の良い防虫ガードを提供できる。
【００２０】
また、前記防虫ガードは、害虫やナメクジの大きさよりも小さい穴を前記湾曲自在なシートに複数形成したことを特徴とする。
この構成によると、輪状の防虫ガードによって囲まれた中の風通しもよくなり、特に、雨等により水が降り込んだとしても、輪状の防虫ガードの外部に水を排出することができる。
【００２１】
また、土中からの害虫よりも小さい穴が形成されたネット内袋を、輪状に形成した前記シートの内側に挿入し、当該ネット内袋の開口縁を前記シートの上縁に沿って取り付けてもよい。
この構成によると、土中から這い上がろうとする害虫を地面上に上げるのを防ぐことができる。
【００２２】
また、土中からの害虫よりも小さい排出孔が形成された根際カバーを、輪状に形成した前記シートの内側の地面表面上に敷き詰めてもよい。
この構成によると、土中から這い上がろうとする害虫を地面上に上げるのを防ぐことができる。
【００２３】
この発明のリース型ハンギングポットは、ドーナツ状に空間を形成した空洞部と、当該空洞部を断面略Ｃ字型に輪帯状に開口する開口部と、当該開口部に連なって前記空洞部を略Ｔ字型に切り欠かれて苗を差し入れ自在な差入部とを筐体に形成したことを特徴する。
この発明では、開口部の開口面積を狭くしても、差入部から苗を収容することができるため、簡易な構造で作業性の良いリース型ハンギングポットを提供できる。そのため、従来の開口よりも開口面積を小さくすることによって開口部からの土の落下を抑えることができる。特に、開口部が断面略Ｃ字型に輪帯状に開口しているため、苗自体の開口部からの抜け落ちが防止できる。
【００２４】
また、特に、この発明のリース型ハンギングポットは、下側に位置するところに穴を形成することが好ましい。
この構成によると、水はけを良くすることができる。
【図面の簡単な説明】
【００２５】
【図１】この発明の実施の形態１にかかる防虫ガードを示す図であり、（Ａ）に平面図、（Ｂ）に中央断面図、（Ｃ）に側面図を示す。
【図２】図１に示した防虫ガードの使用時の状態を示す図であり、（Ａ）に茎が細い時、（Ｂ）に茎が成長して太くなった時を示す。
【図３】この発明の実施の形態２にかかる防虫ガードを示す図であり、（Ａ）に平面図、（Ｂ）に正面図、（Ｃ）に側面図を示す。
【図４】図３に示した防虫ガードの使用時の状態を示す図であり、（Ａ）に茎が細い時、（Ｂ）に茎が成長して太くなった時を示す。
【図５】この発明の実施の形態３にかかる防虫ガード（ストロータイプ）を示す図であり、（Ａ）に茎が細い時の状態、（Ｂ）に茎が成長して太くなった時の状態を示す。
【図６】この発明の実施の形態４にかかる防虫ガードを示す図であり、（Ａ）に正面図、（Ｂ）に上面図、（Ｃ）に側面図を示す。
【図７】図６に示した防虫ガードの変形例を示す正面図である。
【図８】図６に示した防虫ガードの組み立て作業を説明する斜視図である。
【図９】図６に示した防虫ガードの使用状態を説明する図であり、（Ａ）に正面図、（Ｂ）に断面図、（Ｃ）に斜視図を示す。
【図１０】この発明の実施の形態５にかかるリース型ハンギングポットを説明する図であり、（Ａ）に正面図、（Ｂ）に上面図、（Ｃ）に裏面図、（Ｄ）に側面図、（Ｅ）に断面図、（Ｆ）に底面図を示す。
【図１１】図１０に示したリース型ハンギングポットの斜視図である。
【図１２】図１０に示したリース型ハンギングポットの使用状態を示す斜視図である。
【図１３】この実施の形態６にかかる防虫ガードの使用状態を説明する図を示し、（Ａ）に断面図、（Ｂ）に斜視図である。
【図１４】この実施の形態７にかかる防虫ガードの使用状態を説明する斜視図である。
【図１５】この実施の形態８にかかる防虫ガードの使用状態を説明する断面図である。
【図１６】この発明の実施の形態９にかかる防虫ガードを示す図であり、（Ａ）に平面図、（Ｂ）に中央断面図、（Ｃ）に側面図である。
【図１７】図１６に示した防虫ガードの使用時の状態を示す図であり、（Ａ）に茎が細い時、（Ｂ）に茎が成長して太くなった時を示す図である。
【図１８】この発明の実施の形態１０にかかる防虫ガードを示す図であり、（Ａ）に平面図、（Ｂ）に正面図、（Ｃ）に側面図である。
【図１９】この実施の形態１１の防虫ガード１１００の上面図である。
【図２０】図１９に示した防虫ガードの使用時の状態を示す図であり、（Ａ）に茎が細い時、（Ｂ）に茎が成長して太くなった時を示す図である。
【発明を実施するための形態】
【００２６】
（実施の形態１）
図１は、この発明の実施の形態１にかかる防虫ガードを示す図であり、（Ａ）に平面図、（Ｂ）に中央断面図、（Ｃ）に側面図を示す。この防虫ガード１００は、粘着面１０を表面に形成したシート１１の反対側の面にスポンジ（弾性部材）１２を接着した構造である。なお、図１中、粘着面１０が露出した状態を示すものとするが、保存時等には粘着面１０を保護する図示しない剥離紙が貼られるものとする。また、シート１１は、長さ方向（図１（Ａ），図１（Ｂ）中左右方向）に湾曲自在なフレキシブルな素材であればどのような材質であってもよい。シート１１は、円筒形状で端部が重なるように成形されており、力を加えない状態で図２に示すような円筒形を保持する。
【００２７】
また、この防虫ガード１００には、シート１１及びスポンジ１２の端部の両側に略平行に互い違いに切り込み１３ａ，１３ｂ，１３ｃ，１３ｄ及び切り込み１３ｅ，１３ｆ，１３ｇが形成されている。切り込み１３ａ，１３ｂ，１３ｃ，１３ｄは略櫛歯状に形成され、切り込み１３ｅ，１３ｆ，１３ｇも略櫛歯状に形成されている。また、切り込み１３ａ，１３ｂ，１３ｃ，１３ｄと切り込み１３ｅ，１３ｆ，１３ｇとは互いに交わらないため、シート及びスポンジ１２は切り離されていない。そのため、シート１１及びスポンジ１２が図中左右方向に伸びるとき、切り込み１３ａ，１３ｂ，１３ｃ，１３ｄ及び切り込み１３ｅ，１３ｆ，１３ｇの隙間が広がり、シート１１及びスポンジ１２が連続する略Ｎ字型に広がるようになっている。
【００２８】
次に、実施の形態１の防虫ガード１００の使用状態を説明する。図２は、図１に示した防虫ガードの使用時の状態を示す図であり、（Ａ）に茎が細い時、（Ｂ）に茎が成長して太くなった時を示す。図２（Ａ）に示すように、防虫ガード１００は、植物の細い茎Ｘにスポンジ１２を接するようにして巻き付けて使用される。このとき、粘着面１０とシート１１の裏面とが接着することによって、防虫ガード１００は円柱状に茎Ｘに巻き付いた状態で保持される。そして、円柱状に茎Ｘに巻き付けられた防虫ガード１００の周面には、粘着面１０が露出することになる。そのため、この粘着面１０上を通過しようとする害虫やナメクジが、粘着面１０にくっついて捕獲される。
【００２９】
一方、図２（Ｂ）に示すように、植物が生育して茎Ｙのように太くなると、防虫ガード１００は、切り込み３ａ，１３ｂ，１３ｃ，１３ｄと切り込み１３ｅ，１３ｆ，１３ｇとの隙間を広げていく。そのため、粘着面１０とシート１１の裏面との間が剥離することなく、防虫ガード１００は茎Ｙに保持されたままを維持する。このとき、スポンジ１２も茎Ｙとシート１１とに挟まれて圧縮されて、茎Ｙの太さの変化に追従している。
【００３０】
以上の構成によると、簡易な構造で作業性の良い防虫ガード１００を提供できる。また、この防虫ガード１００は、茎Ｙが生育に伴って太くなってもスポンジ１２が圧縮変化すると共に、切り込み１３ａ，１３ｂ，１３ｃ，１３ｄと切り込み１３ｅ，１３ｆ，１３ｇとの隙間が略Ｎ字状に広がるため、茎の生育に伴う茎径の変化に追従して内径を変化させることができる。そのため、茎Ｙを締め付ける力を一定値以下に抑えることができるため、茎Ｙを痛めるのを防ぐことができる。
【００３１】
なお、例えば、スポンジ１２の代わりにゴム等の弾性部材を用い、かつ、シート１１自体をゴム等の弾性部材を用いるものとして、互いの機能を一素材でまかなうように一体成形するようにしてもよい。
【００３２】
また、シート１１の端部同士を差し込んで固定する形状としても良い。この場合、シート１１の一端に矢印形状の差込部を形成し、シート１１の他端に当該差込部を差し込む線状の長穴を設ける。この長穴をシート１１の長手方向に複数設けることで適用する茎の径に対応できる（図示省略）。また、輪ゴムや端部に面テープを備えたバンド部材をシート１１の周囲に巻き付け、防虫ガード１００を茎に固定しても良い（図示省略）。更に、防虫ガード１００を茎に巻き付けた状態で、その一部を土中に埋めて用いるようにしても良い（図示省略）。
【００３３】
（実施の形態２）
図３は、この発明の実施の形態２にかかる防虫ガードを示す図であり、（Ａ）に平面図、（Ｂ）に正面図、（Ｃ）に側面図を示す。この防虫ガード２００は、粘着面２０を表面に形成したシート２１の反対側の面にスポンジ（弾性部材）２２を接着した構造である。この実施の形態２は、実施の形態１の防虫ガード１００の切り込み１３ａ，１３ｂ，１３ｃ，１３ｄと切り込み１３ｅ，１３ｆ，１３ｇとを備えていない構成以外は、実施の形態１と同様である。
【００３４】
なお、実施の形態１と同様に、図３中、粘着面２０が露出した状態を示すものとするが、保存時等には粘着面２０を保護する図示しない剥離紙が貼られるものとする。また、シート２１は、長さ方向（図３（Ａ），図３（Ｂ）中左右方向）に湾曲自在なフレキシブルな素材であればどのような材質であってもよい。
【００３５】
次に、実施の形態２の防虫ガード２００の使用状態を説明する。図４は、図３に示した防虫ガードの使用時の状態を示す図であり、（Ａ）に茎が細い時、（Ｂ）に茎が成長して太くなった時を示す。図３（Ａ）に示すように、実施の形態１と同様に、防虫ガード２００は、植物の細い茎Ｘにスポンジ２２を接するようにして巻き付けて使用される。このとき、粘着面２０とシート２１の裏面とが接着することによって、防虫ガード２００は円柱状に茎Ｘに巻き付いた状態で保持される。そして、円柱状に茎Ｘに巻き付けられた防虫ガード２００の周面には、粘着面２０が露出することになる。そのため、この粘着面２０上を通過しようとする害虫やナメクジが、粘着面２０にくっついて捕獲される。
【００３６】
一方、図４（Ｂ）に示すように、植物が生育して茎Ｙのように太くなると、防虫ガード２００は、スポンジ２２も茎Ｙとシート２１とに挟まれて圧縮されて、茎Ｙの太さの変化に追従して縮んでいく。そのため、粘着面２０とシート２１の裏面との間が剥離することなく、防虫ガード２００は茎Ｙに保持されたままを維持する。但し、実施の形態１の防虫ガード１００と同じ程度の茎の太さの変化に追従するためには、スポンジ２２を厚く形成してシート２１を長くすることで対応することができる。
【００３７】
以上の構成によると、簡易な構造で作業性の良い防虫ガード２００を提供できる。また、この防虫ガード２００は、茎Ｙが生育に伴って太くなってもスポンジ２２が圧縮変化するため、茎の生育に伴う茎径の変化に追従して内径を変化させることができる。そのため、茎Ｙを締め付ける力を一定値以下に抑えることができるため、茎Ｙを痛めるのを防ぐことができる。
【００３８】
なお、例えば、スポンジ２２の代わりにゴム等の弾性部材を用い、かつ、シート２１自体をゴム等の弾性部材を用いるものとして、互いの機能を一素材でまかなうように一体成形するようにしてもよい。
【００３９】
また、シート２１の端部同士を差し込んで固定する形状としても良い。この場合は、シート２１の一端に矢印形状の差込部を形成し、シート２１の他端に当該差込部を差し込む線状の長穴を設ける。この長穴をシート２１の長手方向に複数設けることで適用する茎の径に対応できる（図示省略）。また、輪ゴムや端部に面テープを備えたバンド部材をシート２１の周囲に巻き付け、防虫ガード２００を茎に固定しても良い（図示省略）。
【００４０】
（実施の形態３）
図５は、この発明の実施の形態３にかかる防虫ガード（ストロータイプ）を示す図であり、（Ａ）に茎が細い時の状態、（Ｂ）に茎が成長して太くなった時の状態を示す。図５（Ａ）に示すように、この防虫ガード３００は、円筒状（ストロー状）に形状記憶されるように樹脂等の素材で形成されるストロー体３１によって構成される。そして、防虫ガード３００は、植物の細い茎Ｘに内壁が接するようにして巻き付けて使用される。なお、実施の形態１，２の場合と同様に、ストロー体３１には、粘着面３０が形成され、害虫やナメクジを捕獲する機能を備えている。なお、図５は、使用時の状態を示すため、粘着面３０から図示しない剥離紙が剥がされた状態を示している。
【００４１】
また、防虫ガード３００は、ストロー体３１の合わせ目部分である切り込み３３が斜めに螺旋を描くように形成されている。図５（Ｂ）に示すように、植物が生育して茎Ｙのように太くなると、防虫ガード３００は、切り込み３３の隙間を広げていく。
【００４２】
以上の構成によると、簡易な構造で作業性の良い防虫ガード３００を提供できる。また、この防虫ガード３００は、茎Ｙが生育に伴って太くなっても切り込み３３の隙間を広げることによって、茎の生育に伴う茎径の変化に追従して内径を変化させることができる。そのため、茎Ｙを締め付ける力を一定値以下に抑えることができるため、茎Ｙを痛めるのを防ぐことができる。
【００４３】
（実施の形態４）
図６は、この発明の実施の形態４にかかる防虫ガードを示す図であり、（Ａ）に正面図、（Ｂ）に上面図、（Ｃ）に側面図を示す。防虫ガード４００は、帯状の粘着面４０を表面に形成したシート４１からなる構造である。なお、粘着面４０が露出した状態を示すものとするが、保存時等には粘着面４０を保護する図示しない剥離紙が貼られるものとする。また、シート４１は、長さ方向（図６（Ａ），図６（Ｂ）中左右方向）に湾曲自在なフレキシブルな素材であればどのような材質であってもよい。シート４１のうち、粘着面４０を設けていない部分（土中に埋める部分）の幅は、５ｃｍ以上とするのが好ましい。上限は、この発明の性質上限定されないが、例えば、２０ｃｍ，３０ｃｍ等である。５ｃｍ以上とするのは、所謂ネキリムシ（根切虫）は表土から５ｃｍの深さまでに生息するとされるため、シート４１を５ｃｍ以上埋め込むことでネキリムシの侵入を防止できるためである。
【００４４】
図７は、図６に示した防虫ガード４００の変形例を示す正面図である。防虫ガード４０１には、防虫ガード４００の構造の他に、複数の穴４５が形成されている。穴４５は、縦横等間隔に配置され、害虫やナメクジが進入しない程度の径を有している。この穴４５は、輪状に囲まれた中の風通しを良くし、雨等により水が輪状内に入り込んだ場合に外部に水を排出する機能を備える。なお、以下では、穴４５を備えていない場合を例に説明を続ける。
【００４５】
図８は、図６に示した防虫ガードの組み立て作業を説明する斜視図である。作業者は、手で防虫ガード４００の上部の手持ち部分４６を持ち、剥離紙４７を剥がして粘着面（粘着部材）４０を露出させて防虫ガード４００を輪状にする。このとき、粘着面４０が防虫ガード４００の裏面に接着することで輪状を保持する。即ち、粘着面４０は害虫等の捕獲と防虫ガードの組立の両方に用いられる。なお、手持ち部分４６は、粘着面４０に手が触れないようにするために上端部から数センチの帯状に形成されている。
【００４６】
図９は、図６に示した防虫ガードの使用状態を説明する図であり、（Ａ）に正面図、（Ｂ）に断面図、（Ｃ）に斜視図を示す。輪状にされた防虫ガード４００は、植物の苗Ｐの周りを囲む地面Ｇ中に粘着面４０が露出するようにして埋め込まれて使用される。このとき、防虫ガード４００の粘着面４０が、地面Ｇから侵入しようとする害虫やナメクジをくっつけて捕獲する。更に、ネキリムシが土中を進んで苗Ｆに至るのを阻害する。また、防虫ガード４００は、複数枚を長手方向に連結することでそのサイズを大きくできる。具体的には防虫ガード４００の端部同士をその粘着面４０で連結し、所望の長さとする。最後に端同士を粘着面４０で接着して大きな環とする（図示省略）。この構成であれば、大きな花壇等にも対応できる。
【００４７】
以上の構成によると、簡易な構造で作業性の良い防虫ガード４００を提供できる。また、この防虫ガード４００は、粘着面４０の作用で輪状にされるため、複数並べて植えられる苗同士の間隔や苗の大きさに応じて形作られる径の大きさを任意に決めることができる。
【００４８】
（実施の形態５）
図１０は、この発明の実施の形態５にかかるリース型ハンギングポットを説明する図であり、（Ａ）に正面図、（Ｂ）に上面図、（Ｃ）に裏面図、（Ｄ）に側面図、（Ｅ）に断面図、（Ｆ）に底面図を示す。図１１に、図１０に示したリース型ハンギングポットの斜視図を示す。
このリース型ハンギングポット５００は、ドーナツ状の筐体５０によって形作られ、ドーナツ状に空間を形成した空洞部５１内に花等の植物の苗部分を土毎収納する構造である。筐体５０には、前記空洞部５１が形成され、その空洞部５１を覗くように、断面略Ｃ字型に輪帯状に開口する開口部５２が形成されている。この開口部５２は、空洞部５１に収納された植物の茎から上の花や葉を外部に露出させる部分である。また、筐体５０の上部側には、開口部５２に連なって空洞部５１を略Ｔ字型に切り欠かれた差入部５３が形成されている。この差入部５３は、植物の苗を空洞部５１内に差し入れることができる程度の大きさになっている。
【００４９】
また、筐体５０の上部側には、開口部５２の裏面側に壁掛けフック５４が取り付けられている。また、筐体５０の下部側には、脚５５，５６が備えられて、床面や地面へ設置しても転がらないようになっている。筐体５０の下部側には、空洞部５１内の水はけを良くするための穴５７が形成されている。
【００５０】
図１２に、図１０に示したリース型ハンギングポットの使用状態を示す斜視図を示す。植物Ｆは、土の付いた根側を差入部５３から空洞部５１内に差し入れられ、茎や葉や花が開口部５２から露出した状態で開口部５２に沿って空洞部５１内に収納されていく。そのため、作業者は、リース型ハンギングポット５００に植物Ｆを容易にセットする（植え付ける）ことができる。
【００５１】
以上の構成によると、簡易な構造で作業性の良いリース型ハンギングポット５００を提供できる。また、開口部が断面略Ｃ字型に輪帯状に開口しているため、従来の開口よりも開口面積を小さくすることができる。そのため、リース型ハンギングポット５００を壁に掛けたり起立させたりしても、開口部５２からの植物の抜け落ちを抑えることができる。また、これにより、根に付いた土自体の落下を抑えることもできる。
【００５２】
なお、ここで、リース型におけるドーナツ状及び輪状とは、筐体５０の内壁及び外壁が円形状の場合に限らないものとする。つまり、その内壁及び外壁が閉じていればよく、三角形状、四角形状等の形状であってもよい。
【００５３】
（実施の形態６）
次に、実施の形態６として、実施の形態４の変形例を説明する。図１３に、図９に相当する防虫ガードの使用状態を説明する図を示し、（Ａ）に断面図、（Ｂ）に斜視図を示す。防虫ガード６００は、防虫ガード４００の構成にさらにネット内袋６０を追加した構造である。
【００５４】
ネット内袋６０は、土中から這い上がってくる害虫よりも小さい穴形状に編まれた構造である。このネット内袋６０は、防虫ガード６００の内側に差し入れられ、開口縁６０Ａで外側に折り返されて防虫ガード６００の輪に掛けられるようにして使用される。開口縁６０Ａは、粘着面４０の上側の一部にくっつけられて固定される。また、ネット内袋６０は、植物の苗Ｐの根全体を囲むように土中に埋められる。そのため、ネット内袋６０が、土中からの害虫の侵入を防ぐことができる。なお、ネット内袋６０は、防虫ガード６００により形成される輪の径に応じて用意すればよく、花壇等の全体を覆うような面積を有したものであってもよい。
【００５５】
以上の構成によると、簡易な構造で作業性の良い防虫ガード６００を提供できる。また、この防虫ガード６００は、防虫ガード４００と同一の効果を奏する上に、ネット内袋６０によって土中からの害虫の侵入も防ぐことができる。
【００５６】
（実施の形態７）
次に、実施の形態７として、実施の形態４の変形例を説明する。図１４に、図９に相当する防虫ガードの使用状態を説明する斜視図を示す。防虫ガード７００は、防虫ガード４００の構成にさらに根際カバー７１を追加した構造である。根際カバー７１は、防虫ガード７００の輪状のシート４１内側に差し入れられ、地面Ｇ上に置かれて使用される。
【００５７】
根際カバー７１は、円板状に形成されており、防虫ガード７００により形成される輪の径に応じて用意すればよく、花壇等の全体を覆うような面積を有したものでよい。また、一枚の円形状に形成されていなくてもよく、複数の板状体を地面Ｇ上に配置するようにしてもよい。
【００５８】
また、根際カバー７１には、中央部分に植物Ｐの茎を通す円形状の挿入孔７１Ａが形成され、この挿入孔７１Ａに連通する切り欠き７１Ｂが形成されている。植物Ｐの茎が、切り欠き７１Ｂから挿入孔７１Ａに挿入できるようになっている。
【００５９】
また、根際カバー７１には、土中からの害虫よりも小さい複数の排水孔７１Ｃが形成されている。この排水孔７１Ｃは、雨水等を根側に排水するとともに、土中から地面Ｇの表面に這い上がろうとする害虫の侵入を防ぐ。更に、こがね虫等が飛来して土中に産卵することを防止できる。
【００６０】
以上の構成によると、簡易な構造で作業性の良い防虫ガード７００を提供できる。また、この防虫ガード７００は、防虫ガード４００と同一の効果を奏する上に、根際カバー７１によって土中からの害虫の侵入も防ぐことができる。
【００６１】
（実施の形態８）
次に、実施の形態８として、実施の形態６及び実施の形態７の組み合わせ例を説明する。図１５は、実施の形態８の防虫ガードの使用状態を説明する断面図である。この防虫ガード８００は、ネット内袋６０及び根際カバー７１の両方を用いた構造である。つまり、ネット内袋６０が、輪状のシート４１の内側に差し入れられ、開口縁６０Ａで外側に折り返されて輪状のシート４１の輪に掛けられるとともに、根際カバー７１が、そのネット内袋６０の内側に差し入れられ、地面Ｇ上に置かれて使用される。なお、その他の構成については、実施の形態６及び実施の形態７と同様なので、説明を省略する。
【００６２】
以上の構成によると、簡易な構造で作業性の良い防虫ガード８００を提供できる。また、この防虫ガード８００は、防虫ガード４００と同一の効果を奏する上に、防虫ガード６００，７００と同一の効果を奏する。特に、ネット内袋６０及び根際カバー７１の二重のガードによって土中からの害虫の侵入を防ぐことができる。
【００６３】
（実施の形態９）
図１６は、この発明の実施の形態９にかかる防虫ガードを示す図であり、（Ａ）に平面図、（Ｂ）に中央断面図、（Ｃ）に側面図を示す。この防虫ガード９００は、粘着面９０を表面に形成したシート９１の反対側の面にスポンジ（弾性部材）９２を接着し、シート９１及びスポンジ９２の間に針金（締結具）９３を通した構造である。なお、図１６中、粘着面９０が露出した状態を示すものとするが、保存時等には粘着面９０を保護する図示しない剥離紙が貼られるものとする。また、シート９１は、長さ方向（図１６（Ａ），図１６（Ｂ）中左右方向）に湾曲自在なフレキシブルな素材であればどのような材質であってもよい。また、針金９３の他の締結具しては、例えば、ビニール等の紐であってもよい。
【００６４】
次に、実施の形態９の防虫ガード９００の使用状態を説明する。図１７は、図１６に示した防虫ガードの使用時の状態を示す図であり、（Ａ）に茎が細い時、（Ｂ）に茎が成長して太くなった時を示す。図１７（Ａ）に示すように、防虫ガード９００は、植物の細い茎Ｘにスポンジ９２を接するようにして巻き付けて使用される。このとき、針金９３の両先端側を捻って締結されることによって、防虫ガード９００は円柱状に茎Ｘに巻き付いた状態で保持される。そして、円柱状に茎Ｘに巻き付けられた防虫ガード９００の周面には、粘着面９０が露出することになる。そのため、この粘着面９０上を通過しようとする害虫やナメクジが、粘着面９０にくっついて捕獲される。
【００６５】
一方、図１７（Ｂ）に示すように、植物が生育して茎Ｙのように太くなると、スポンジ９２が茎Ｙとシート９１とに挟まれて圧縮されていくが、針金９３によって茎Ｙに保持されているため、防虫ガード９００は茎Ｙに保持されたままを維持する。
【００６６】
以上の構成によると、簡易な構造で作業性の良い防虫ガード９００を提供できる。また、この防虫ガード９００は、針金９３によって締結されているため、茎Ｙが生育に伴って太くなってもスポンジ９２が圧縮変化してシート９１を内部から押す力が大きくなってきたとしても、茎Ｙから脱落することもない。
【００６７】
なお、例えば、スポンジ９２の代わりにゴム等の弾性部材を用い、かつ、シート９１自体をゴム等の弾性部材を用いるものとして、互いの機能を一素材でまかなうように一体成形するようにしてもよい。この場合、一体成形された弾性部材に穴を形成し、その穴に針金を通してもよいし、針金を入れたゲル状のゴムを硬化させて一体成形するようにしてもよい。
【００６８】
（実施の形態１０）
図１８は、この発明の実施の形態１０にかかる防虫ガードを示す図であり、（Ａ）に平面図、（Ｂ）に正面図、（Ｃ）に側面図を示す。この防虫ガード１０００は、防虫ガード９００の針金９３の締結具の代わりに、両面テープ９４，９５を用いた構造である。つまり、この防虫ガード１０００は、粘着面９０を表面に形成したシート９１の反対側の面にスポンジ（弾性部材）９２を接着し、スポンジ９２の表面に両面テープ９４，９５を取り付けた構造である。なお、両面テープ９４，９５は、粘着面９０側に取り付けられていてもよい。
【００６９】
次に、実施の形態１０の防虫ガード１０００の両面テープ９４，９５の機能について説明する。この防虫ガード１０００も、まずは、植物の細い茎にスポンジ９２を接するようにして巻き付けて使用される。このとき、両面テープ９４，９５が茎に接着したり、両面テープ９４，９５同士を接着したり、両面テープ９４又は両面テープ９５と粘着面９０とを接着したりすることによって、防虫ガード１０００は円柱状に茎に巻き付いた状態で保持される。したがって、円柱状に茎に巻き付けられた防虫ガード１０００の周面には、粘着面９０が露出することになるため、粘着面９０上を通過しようとする害虫やナメクジが、粘着面９０にくっついて捕獲される。
【００７０】
一方、植物が生育して茎のように太くなると、防虫ガード１０００は、スポンジ９２も茎とシート９１とに挟まれて圧縮されて、茎の太さの変化に追従して縮んでいく。そのため、粘着面９０とシート９１の裏面との間が剥離することなく、防虫ガード１０００は茎に保持されたままを維持する。
【００７１】
以上の構成によると、簡易な構造で作業性の良い防虫ガード１０００を提供できる。この防虫ガード１０００は、両面テープ９４，９５によって容易に茎に取り付けることができる。また、茎が生育に伴って太くなってもスポンジ９２が圧縮変化するため、茎の生育に伴う茎径の変化に追従して内径を変化させることができる。そのため、茎を締め付ける力を一定値以下に抑えることができるため、茎を痛めるのを防ぐことができる。
【００７２】
なお、例えば、スポンジ９２の代わりにゴム等の弾性部材を用い、かつ、シート９１自体をゴム等の弾性部材を用いるものとして、互いの機能を一素材でまかなうように一体成形するようにしてもよい。
【００７３】
（実施の形態１１）
図１９は、この実施の形態１１の防虫ガード１１００の上面図である。この防虫ガード１１００は、樹脂等で輪状に形状記憶されたシート９６と、そのシート９６の内部に取り付けられる「図１７中、逆『の』字形状」のスポンジ９７とによって円柱状に形作られた構造である。防虫ガード１１００には、中央部分にスポンジ９７によって形作られる円柱状の挿通孔９８と、この挿通孔９８に連通するようにスポンジ９７によって形作られる切り欠き９９とが形成されている。つまり、防虫ガード１１００は、板状の防虫ガード１００を予め円柱状に丸めた状態を維持するように形成されたものである。
【００７４】
図２０は、図１９に示した防虫ガードの使用時の状態を示す図であり、（Ａ）に茎が細い時、（Ｂ）に茎が成長して太くなった時を示す。図２０（Ａ）に示すように、防虫ガード１１００は、植物の細い茎Ｘに切り欠き９９を開いて挿入した後に押し込まれて挿通孔９８に茎Ｘを通される。なお、ここでは、挿通孔９８の径が茎Ｘの径よりも大きい状態を示しているが、防虫ガード１１００は、上側の細い部分で取り付けられた後、根本側（下側）の太い部分へスライドされて、スポンジ９７に茎Ｘを接するようにして巻き付けて使用される。そして、円柱状に茎Ｘに巻き付けられた防虫ガード１１００の周面には、粘着面９６が露出することになる。そのため、この粘着面９６上を通過しようとする害虫やナメクジが、粘着面９６にくっついて捕獲される。
【００７５】
一方、図２０（Ｂ）に示すように、植物が生育して茎Ｙのように太くなっても、スポンジ９７が茎Ｙとシート９６とに挟まれて圧縮されていっても、シート９６が押し広げられていくため、防虫ガード１１００は適度な力で茎Ｙに保持されたままを維持する。
【００７６】
以上の構成によると、簡易な構造で作業性の良い防虫ガード１１００を提供できる。また、この防虫ガード１１００は、茎Ｙが生育に伴って太くなってもスポンジ９２が圧縮変化してシート９１を内部から押す力が大きくなってきたとしても、スポンジ９７及びシート９６の弾性変形によって茎Ｙから脱落することもない。
【００７７】
なお、例えば、スポンジ９７の代わりにゴム等の弾性部材を用い、かつ、シート９６自体をゴム等の弾性部材を用いるものとして、互いの機能を一素材でまかなうように一体成形するようにしてもよい。
【００７８】
なお、上記各実施の形態１〜１１（実施の形態５を除く）に記載の各粘着面には、油性粘着剤を用いることが好ましい。雨風にさらされても数ヶ月は害虫やナメクジの進入を防ぐことができる。また、上記各実施の形態１〜１１（実施の形態５を除く）に記載の発明によれば、高い防虫効果を備えているので、無農薬に近い状態で野菜等を栽培できる。
【符号の説明】
【００７９】
１００，２００，３００，４００，９００，１０００  防虫ガード
１０，２０，３０  粘着面
１１，２１  シート
１２，２２  スポンジ（弾性部材）
１３，３３  切り込み
３１  ストロー体
６００，７００，８００  防虫ガード
４０  粘着面
４１  シート
４５  穴
４６  手持ち部分
４７  剥離紙
５００  リース型ハンギングポット
５０  筐体
５１  空洞部
５２  開口部
５３  差入部
５４  壁掛けフック
５５，５６  脚
５７  穴
６０  ネット内袋
７１  根際カバー
７１Ｃ  排水孔
９０  粘着面
９１  シート
９２  スポンジ
９３  金具（締結具）
９４，９５  両面テープ
９６  シート
９７  スポンジ
９８  挿通孔
９９  切り欠き
【図１】
2013192503.tif 000003
【図２】
2013192503.tif 000004
【図３】
2013192503.tif 000005
【図４】
2013192503.tif 000006
【図５】
2013192503.tif 000007
【図６】
2013192503.tif 000008
【図７】
2013192503.tif 000009
【図８】
2013192503.tif 000010
【図９】
2013192503.tif 000011
【図１０】
2013192503.tif 000012
【図１１】
2013192503.tif 000013
【図１２】
2013192503.tif 000014
【図１３】
2013192503.tif 000015
【図１４】
2013192503.tif 000016
【図１５】
2013192503.tif 000017
【図１６】
2013192503.tif 000018
【図１７】
2013192503.tif 000019
【図１８】
2013192503.tif 000020
【図１９】
2013192503.tif 000021
【図２０】
2013192503.tif 000022